(57)【要約】【課題】躯体側に支持するブラケットを手動式用のままにした状態で、電動式のシャッター装置の巻取り装置を軸承させる構成とするにあたり、簡単かつ容易にできるように構成する。【解決手段】シャッターカーテン１が巻装される巻取り装置３を、ドラム８の一端部に電動モータ５が相対回動自在に内装される構成とし、ドラム８の一端から突出する電動モータケーシング５ａの一端側端面に、アダプタ部材９を連結し、アダプタ部材９に形成された軸部９ｃを、躯体側に設けられる手動式のブラケット２ａの固定軸支持部２ｂに係止固定する構成とする。【選択図】        図４
2004257063.tif 000002
【特許請求の範囲】
【請求項１】
開閉体が巻装される巻取り装置を躯体側に支持するブラケットを、ドラムと該ドラムを回動自在に軸承する固定軸とを備えた手動式の巻取り装置の固定軸を係止固定する固定軸支持部が形成された手動式巻取り装置用としたものに、ドラムの一端部に電動モータが相対回動自在に内装された電動式の巻取り装置を支持するにあたり、前記電動モータの端部には、ブラケットの固定軸支持部に係止固定するための軸部を備えたアダプタ部材が設けられている建築用開閉装置の巻取り装置。
【請求項２】
請求項１において、アダプタ部材には、電動モータの配線を外部に引出すための挿通孔が開設されている建築用開閉装置の巻取り装置。
【発明の詳細な説明】
【０００１】
【発明の属する技術分野】
本発明は、建築物の開口部等に設けられる建築用開閉装置の巻取り装置の技術分野に属するものである。
【０００２】
【従来の技術】
一般に、この種建築用開閉装置において、開口部を開閉する開閉体を例えばシャッターカーテンとした所謂シャッター装置とした場合、シャッターカーテンを巻装する巻取り装置を開口部上方に設け、巻取り装置の正逆回動に伴いシャッターカーテンが開口部の開閉を行うようにしたものがある。このようなものにおいて、シャッターカーテンの開閉を手動で行う手動式のシャッター装置では、図７（Ａ）に示すように、巻取り装置１３を、シャッターカーテンの上端縁部が連結されるドラム１３ａと、該ドラム１３ａをホイール１３ｅを介して回動自在に軸承する固定軸１３ｂと、ドラム１３ａと固定軸１３ｂとのあいだに配されたバランス弾機１３ｃとを備えて構成し、前記固定軸１３ｂの左右両端部を、躯体開口部上方に設けられたブラケット２ａに固定することで躯体側への支持をしている。そしてこの場合に、図２に示すように、ブラケット２ａの内側面に、固定軸１３ｂの端部を係止するＵ字形の固定軸支持部２ｂが内方に向けて突出形成されたものになっている。一方、巻取り装置を電動モータの駆動力により回動させる電動式のシャッター装置のなかには、図７（Ｂ）に示すように、巻取り装置３としてドラム８の一端部に電動モ５を収容してコンパクト化を図るようにしたものがあり、この場合では、巻取り装置３の一端部は、ドラム８端部から外部に突出する電動モータ５のケーシング５ａの一端部を躯体側のブラケットに直接固定支持するように構成されており、もって、該電動モータ５がドラム８の一端側における支持を行うようになっている。従って、電動式の巻取り装置３を躯体側に支持するためのブラケットは、電動モータケーシングの一端面を直接固定することになるため、基本的に前記手動式のブラケットとは異なる形状、構成のものとなる。
このため、従来、手動式のシャッター装置が既設されているところに、電動モータが内装された電動式のシャッター装置を取付けようとした場合、手動式用のブラケットを取外して電動式用のブラケットに取換える必要があった。しかるに、ブラケットの取換え作業は躯体側の工事を含む作業となるため、取換え作業が困難であり改善が求められていた。そこで、手動式のブラケットをそのまま利用する構成とし、巻取り装置のドラムの一端部に、該ドラムに連動連結する電動系駆動ユニットを組込み、該電動系駆動ユニットを、ブラケットに設けた電動モータ側の部材に連動連結させるようにしたものが提唱されている（例えば、特許文献１参照。）。
【０００３】
【特許文献１】
特許第３３４７８５５号公報
【０００４】
【発明が解決しようとする課題】
ところで、前記特許文献１のものは、電動モータがブラケット側に設けられる構成であって、ブラケットに電動モータの配設スペースを確保できない場合では、シャッター装置を電動化することができないという問題がある。さらには、このものにおける電動系駆動ユニットは、部品点数が多いうえ、これらの部品は、既設のブラケットに支持されている巻取り装置に付加する状態で取付ける構成であるので、部品点数が多い分、取付け作業の工程数が多くなって作業が煩雑になってしまうばかりでなく、長い時間高所作業を強いられるという問題もあり、これらに本発明が解決しようとする課題があった。
【０００５】
【課題を解決するための手段】
本発明は、上記の如き実情に鑑み、これらの課題を解決することを目的として創作されたものであって、開閉体が巻装される巻取り装置を躯体側に支持するブラケットを、ドラムと該ドラムを回動自在に軸承する固定軸とを備えた手動式の巻取り装置の固定軸を係止固定する固定軸支持部が形成された手動式巻取り装置用としたものに、ドラムの一端部に電動モータが相対回動自在に内装された電動式の巻取り装置を支持するにあたり、前記電動モータの端部には、ブラケットの固定軸支持部に係止固定するための軸部を備えたアダプタ部材が設けられているものである。
そして、このようにすることにより、電動式の巻取り装置に予めアダプタ部材を設けておくことで、手動式用のブラケットをそのまま用いることが可能となって、取換え作業を簡単かつ容易に行うことができる。
このものにおいて、本発明のアダプタ部材には、電動モータの配線を外部に引出すための挿通孔が開設されているものとすることができ、このようにすることにより、電動モータからの配線コードが邪魔になるようなことを防止することができる。
【０００６】
【発明の実施の形態】
次に、本発明の第一の実施の形態を図１〜図５の図面に基づいて説明する。
図面において、１は住宅の窓部（躯体開口部）に設けられたシャッター装置のシャッターカーテン１であって、該シャッターカーテン１は、複数枚のスラット１ａを上下方向に連綴して構成されている。そして、シャッターカーテン１は、上端縁部が開口部上方の躯体側に設けたシャッターケース２内に回動自在に収容された巻取り装置３に連結され、該巻取り装置３に巻取られて開口部を開放する全開姿勢と、巻取り装置３から巻出されて開口部を閉鎖する全閉姿勢とのあいだを変姿するように設定されている。
尚、シャッターカーテン１は、左右両側縁部が開口部の左右両側に立設されたガイドレール４に嵌合して移動案内されるように設定されており、これらの基本構成は何れも従来通りの構成となっている。
【０００７】
ところで、前記シャッター装置としては、シャッターカーテン１を手動で開閉する手動式用のものと、巻取り装置３に電動モータ５が連繋され、該電動モータ５の駆動力に基づいて巻取り装置３が回転駆動してシャッターカーテン１の開閉作動を自動的に行うようにした電動式のものとがあり、本実施の形態では、手動式のシャッター装置が取付けられていた開口部に、電動式のシャッター装置が取付けられている。
つまり、シャッターケース２を構成する左右一対のブラケット２ａは、互いに対向する内側面に、Ｕ字形の固定軸支持部（ポケット）２ｂが内側に向けて突出する状態で一体的に設けられた手動式（手動式巻取り装置１３）用のブラケット２ａに構成されている。尚、前記ブラケット２ａの固定軸支持部２ｂには、図７（Ａ）に示す手動式巻取り装置１３の固定軸１３ｂの端部が嵌合係止し、該固定軸１３ｂと固定軸支持部２ｂとに形成された螺子孔１３ｄ、２ｃを連通する状態に位置合せし、これら螺子孔１３ｄ、２ｃにボルト１０を挿通してナット１０ａにより締結することにより、固定軸１３ｂをブラケット２ａに固定させるように構成されている。
【０００８】
一方、巻取り装置３は、左右方向（軸方向）一端部（図４において右側）に電動モータ５が配された電動式のものに構成されており、該電動モータ５のケーシング５ａ一端側の外周には、従動ホイール６が回動自在に外嵌されている。さらに、モータケーシング５ａの他端側外周には、該モータケーシング５ａに対して相対回動自在な状体で駆動ホイール６ａが外嵌されているが、該駆動ホイール６ａは、モータケーシング５ａの他端側から突出する出力軸５ｂに連動連結されている。さらに、巻取り装置３は、左右方向他端側に位置して、電動モータ出力５ｂ軸と同芯となる関係で固定軸７が設けられ、該固定軸７の外周に、複数の従動ホイール６が回動自在に外嵌されている。そして、これら各ホイール６、６ａは、これらの外周に嵌着された長筒状のドラム８により一体的に連動連結され、これによって、各ホイール６、６ａとドラム８とが固定軸７と電動モータ５に対して回動自在となるように構成され、前記ドラム８に、シャッターカーテン１の上縁部が連結されている。このように構成された巻取り装置３は、電動モータ５の回動（回転）が、出力軸５ｂ、駆動ホイール６ａを経由してドラム８を回動せしめ、該回動に基づいて、シャッターカーテン１の開閉がなされるように構成され、このような基本的な構成は、電動モータ内装型の巻取り装置として一般的な構成となっている。
【０００９】
そして、前記電動式の巻取り装置３において、ドラム８の他端部から外部に突出するモータケーシング５ａの一端側面には、本発明が実施されたアダプタ部材９が連結されている。前記アダプタ部材９は、平板リング状の固定プレート部９ａと、該固定プレート部９ａの貫通孔９ｂに基端部が嵌着された筒状の軸部９ｃとを備えて構成されている。そして、アダプタ部材９は、固定プレート部９ａをモータケーシング５ａの一端面に突当て、貫通孔９ｂの孔中心と電動モータ出力軸５ａの軸芯とを位置合せした状態で螺子５ｃを用いて固定することにより、電動モータ５に連結されている。このように構成された巻取り装置３において、ドラム８は、左右端部が固定軸７と電動モータ５およびアダプタ部材９とによる回動支持を受けるように設定され、このとき、固定軸７、電動モータ出力軸５ｂ、アダプタ部材９とは同軸上に配設され、芯ズレのない状態となっている。
尚、本実施の形態では、アダプタ部材９の固定プレート部９ａと軸部９ｃとの一体化は溶着手段によりなされ、必要な強度が確保された状態で固定されている。これに対し、固定プレート部と軸部とは絞り加工等の手段により一体に成形してもよく、このようにしても必要な強度を確保したものを形成することができる。
【００１０】
このように構成された電動式の巻取り装置３は、左側の固定軸７と右側のアダプタ部材軸部９ｃとを、躯体側に支持されるブラケット２ａのポケット状の固定軸支持部２ｂに係止させることで仮支持がなされる。そして、この仮支持状態において、固定軸７とアダプタ部材軸部９ｃとに形成された螺子孔７ａ、９ｄを、固定軸支持部２ｂに開設された螺子孔２ｃとを連通状に位置合せし、これら螺子孔７ａ、９ｄ、２ｃにそれぞれボルト１０を挿通してナット１０ａにより締結することにより、固定軸７とアダプタ部材軸部９ｃとを固定軸支持部２ｂに固定することができるように設定されている。
さらに、本実施の形態において、電動モータ５から引出される外部電源接続用の配線コード５ｄは、アダプタ部材軸部９ｃの筒孔に挿通され、該筒孔からブラケット２ａの固定軸支持部２ｂ対向部位に新たに開設した挿通孔２ｄを介して外部に引出されるように構成されている。
【００１１】
叙述の如く構成された本発明の実施の形態において、手動式のシャッター装置が設けられていた箇所に、電動式のシャッター装置を取付ける場合に、電動式の巻取り装置３を躯体側に支持するためのブラケット２は、手動式のときのものがそのまま用いられており、ブラケット２ａをわざわざ取外したり、ブラケット２ａに必要な部材を別途新たに取付けたりする作業を不要とすることができる。しかもこの場合に、電動式の巻取り装置３は、ドラム８の一端部から突出する電動モータ５のケーシング５ａ一端面にアダプタ部材９を取付け、このようにした巻取り装置３のアダプタ部材９の軸部９ｃと、他端側の固定軸７とを、左右のブラケット２ａの固定軸支持部２ｂに固定させるだけの簡単な作業をするだけで、手動式から電動式のシャッター装置に取換えることができる。
この結果、電動式にするためには、予め電動式シャッター装置用として汎用されているドラム８内装式の巻取り装置３を用意し、該巻取り装置３のドラム８から突出する電動モータケーシング５ａの一端面に、軸部９ｂが形成されたアダプタ部材９の固定プレート部９ａを固定することで対応できることになって、手動から電動への取換え作業を簡単かつ容易になる。しかもこの場合に、ブラケット２ａへの取付けは、巻取り装置３の固定軸７およびアダプタ部材軸部９ｃとを固定軸支持部２ｂに固定するだけの作業でよいことになって、高所作業を最小限にすることができ、現場での作業性を向上させることができる。
【００１２】
さらにこのものでは、アダプタ部材９の軸部９ｃが筒状に形成されていて、該軸部９ｃの基端部が固定プレート部９ａの貫通孔９ｂに固定される構成となっているため、電動モータ５の電源供給するために必要な配線コード５ｄは、軸部９ｃの筒孔を経由し、ブラケット２ａの挿通孔２ｄを介して外部に引出すことができる。従って、巻取り装置３に巻装されるシャッターカーテン１の側縁部とブラケット２ａとの対向間隔が狭く、ここに電動モータ５の配線コード５ｄを配設できないような場合であっても、配線コード５ｄが邪魔にならず、手動式から電動式に取換えるときの可能範囲を大きくすることができる。
【００１３】
尚、本発明は前記実施の形態に限定されないことは勿論であって、ブラケット２の外部に引出された配線コードの引回しの例としては、図６に示すようなものを示すことができる。図６（Ａ）の第二の実施の形態のものでは、外部に引出された配線コード５ｄにキャップ１１が嵌着され、防水が図られたものとなっている。また、配線コード５ｄのブラケット２ａからの引出し方向としては、図６（Ｂ）に示す第三の実施の形態のように屋内側へ、あるいは、図６（Ｃ）に示す第四の実施の形態のように上方に向けて引出すことも可能であり、これらのものにおいて、ブラケット２ａの外面にカバー体１２を止着することにより、配線コード５ｄの防水を図るようにしている。
【図面の簡単な説明】
【図１】シャッターカーテンの概略正面図である。
【図２】図２（Ａ）、（Ｂ）はそれぞれブラケットを説明する正面図、側面図である。
【図３】図３（Ａ）、（Ｂ）はそれぞれアダプタ部材を説明する正面図、側面図である。
【図４】図４（Ａ）、（Ｂ）はそれぞれ巻取り装置の支持状態を説明する正面図、図４（Ａ）のＸ−Ｘ断面図である。
【図５】アダプタ部材の巻取り装置への取付け状態を説明する分解斜視図である。
【図６】図６（Ａ）、（Ｂ）、（Ｃ）はそれぞれ第二の実施の形態の要部斜視図、第三の実施の形態の要部平面図、第四の実施の形態の要部平面図である。
【図７】図７（Ａ）、（Ｂ）はそれぞれ手動式の巻取り装置の正面図、電動式の巻取り装置の正面図である。
【符号の説明】
１    シャッターカーテン
２    シャッターケース
２ａ    ブラケット
２ｂ    固定軸支持部
３    巻取り装置
５    電動モータ
５ａ    ケーシング
７    固定軸
８    ドラム
９    アダプタ部材
９ａ    固定プレート部
９ｂ    貫通孔
９ｃ    軸部
１０    ボルト
【図１】
2004257063.tif 000003
【図２】
2004257063.tif 000004
【図３】
2004257063.tif 000005
【図４】
2004257063.tif 000006
【図５】
2004257063.tif 000007
【図６】
2004257063.tif 000008
【図７】
2004257063.tif 000009